(57)【要約】【課題】組立時におけるＬＥＤと窓部との位置合わせを容易にし、位置合わせの精度を向上させたプロジェクターを提供すること。【解決手段】プロジェクター１は、本体９と、本体９の一部を覆うカバー部２と、本体９の動作状態を示すインジケーター４０と、インジケーター４０を保持する保持部５０と、を有し、インジケーター４０は、複数の発光素子４１と、複数の発光素子４１が実装される基板４２と、を有し、保持部５０は、本体９に対して移動可能な状態で取り付けられ、カバー部２は、発光素子４１のそれぞれと対向する位置に設けられ、発光素子４１から出射された光を透過する窓部１１から窓部１６と、保持部５０の位置を決める係止部３３，３５と、を有する。【選択図】図５
2019128522.tif 000002
【特許請求の範囲】
【請求項１】
本体と、
前記本体の一部を覆うカバー部と、
前記本体の動作状態を示すインジケーターと、
前記インジケーターを保持する保持部と、を有し、
前記インジケーターは、複数の発光素子と、前記複数の発光素子が実装される基板と、を有し、
前記保持部は、前記本体に対して移動可能な状態で取り付けられ、
前記カバー部は、前記発光素子のそれぞれと対向する位置に設けられ、前記発光素子から出射された光を透過する窓部と、前記保持部の位置を決める係止部と、を有するプロジェクター。
【請求項２】
前記複数の発光素子は、第１の方向に沿って配列された状態で前記基板上に実装され、
前記保持部は、前記第１の方向に沿って移動可能な状態で前記本体に取り付けられる、請求項１に記載のプロジェクター。
【請求項３】
前記窓部は、前記第１の方向における長さが、前記第１の方向と交差する第２の方向における長さよりも短い、請求項１または請求項２に記載のプロジェクター。
【請求項４】
前記係止部は、前記保持部の前記第１の方向における一方側への移動を規制する第１の係止部、および前記保持部の前記第１の方向における他方側への移動を規制する第２の係止部を有し、
前記第１の係止部および前記第２の係止部は、前記保持部を所定の位置に案内する案内面を有する、請求項１から請求項３のいずれか１項に記載のプロジェクター。
【請求項５】
前記保持部は、前記第１の方向と交差する第２の方向に沿って移動可能な状態で前記本体に取り付けられ、
前記係止部は、前記保持部に当接し、前記第２の方向における前記窓部に対する前記発光素子の位置を決める、請求項１から請求項４のいずれか１項に記載のプロジェクター。
【発明の詳細な説明】
【技術分野】
【０００１】
本発明は、プロジェクターに関する。
【背景技術】
【０００２】
従来、動作状態などが表示されるインジケーターを備えたプロジェクターが知られていた。このようなインジケーターでは、発光素子が発した光を、レンズなどの窓部を介して外部に出射させて表示が成される。近年、低消費電力などの理由から、発光素子としてＬＥＤ（Light Emitting Diode）が用いられている。
【０００３】
例えば、特許文献１には、電子装置のインジケーターとして、導電支持片を介してＬＥＤを本体に固定した光源部が開示されている。また、特許文献２には、投写型表示装置（プロジェクター）のインジケーターとして、ＬＥＤを用いた表示装置が開示されている。
【先行技術文献】
【特許文献】
【０００４】
【特許文献１】特開２００４−９３９４２号公報
【特許文献２】特開２０１１−１６５６０８号公報
【発明の概要】
【発明が解決しようとする課題】
【０００５】
しかしながら、特許文献１および特許文献２に記載のインジケーターでは、本体に固定されたＬＥＤと、装置外装カバー部の窓部との位置合わせが難しいという課題があった。詳しくは、昨今のプロジェクターは、外観のデザイン性を向上させて窓部の幅や複数の窓部の配置間隔が狭められている。そのため、ＬＥＤと窓部との位置がずれていると、窓部から出射される光が減少しやすかった。すなわち、組立時におけるＬＥＤと窓部との位置合わせを容易にし、その精度を向上させたプロジェクターが求められていた。
【課題を解決するための手段】
【０００６】
本発明は、上述の課題の少なくとも一部を解決するためになされたものであり、以下の形態または適用例として実現することが可能である。
【０００７】
［適用例］本適用例に係るプロジェクターは、本体と、本体の一部を覆うカバー部と、本体の動作状態を示すインジケーターと、インジケーターを保持する保持部と、を有し、インジケーターは、複数の発光素子と、複数の発光素子が実装される基板と、を有し、保持部は、本体に対して移動可能な状態で取り付けられ、カバー部は、発光素子のそれぞれと対向する位置に設けられ、発光素子から出射された光を透過する窓部と、保持部の位置を決める係止部と、を有する。
【０００８】
本適用例によれば、インジケーターの発光素子と、カバー部の窓部との位置合わせを容易にすると共に、位置合わせの精度を向上させることができる。詳しくは、発光素子は基板を介して保持部に保持され、保持部は本体に対して移動可能に取り付けられる。そのため、本体とカバー部とを組み立てる前の段階では、発光素子は、本体に対して相対的に移動が可能となる。すなわち、この段階では、本体に対する複数の発光素子の位置合わせを、従来ほど厳密に行わなくてもよい。そして、本体とカバー部とを組み立てると、係止部によって、保持部に保持された複数の発光素子の位置決めが、従来よりも容易に精度よく行われる。以上により、発光素子と窓部との位置合わせが容易で、位置合わせの精度が向上したプロジェクターを提供することができる。
【０００９】
上記適用例に記載のプロジェクターにおいて、複数の発光素子は、第１の方向に沿って配列された状態で基板上に実装され、保持部は、第１の方向に沿って移動可能な状態で本体に取り付けられる。
【００１０】
これによれば、複数の発光素子が配列された方向（第１の方向）において、複数の発光素子と複数の窓部との位置合わせを容易にすると共に、位置合わせの精度を向上させることができる。また、従来よりも複数の窓部の配列の間隔を狭く設定しても、それらが配列された方向において位置合わせの精度が向上するため、位置ずれに起因する光の減少を抑えることができる。
【００１１】
上記適用例に記載のプロジェクターにおいて、窓部は、第１の方向における長さが、第１の方向と交差する第２の方向における長さよりも短いことが好ましい。
【００１２】
これによれば、発光素子と窓部との位置合わせの精度が、窓部の長さが短い第１の方向において向上する。すなわち、他の方向より位置合わせの精度が要求される方向（第１の方向）において、位置合わせの精度を向上させることができる。また、そのため、複数の窓部を配列する場合には、隣り合う窓部の間隔を狭く設定することが可能となり、窓部の外観デザイン性を向上させることができる。
【００１３】
上記適用例に記載のプロジェクターにおいて、係止部は、保持部の第１の方向における一方側への移動を規制する第１の係止部、および保持部の第１の方向における他方側への移動を規制する第２の係止部を有し、第１の係止部および第２の係止部は、保持部を所定の位置に案内する案内面を有することが好ましい。
【００１４】
これによれば、第１の係止部および第２の係止部によって、第１の方向における一方側および他方側の両方向側へ、保持部の移動が規制される。そのため、第１の方向における発光素子と窓部との位置合わせの精度を、さらに向上させることができる。また、保持部が案内面に案内されるため、本体とカバー部とを組み立てる際に、さらに容易に発光素子と窓部との位置合わせを行うことができる。
【００１５】
上記適用例に記載のプロジェクターにおいて、保持部は、第１の方向と交差する第２の方向に沿って移動可能な状態で本体に取り付けられ、係止部は、保持部に当接し、第２の方向における窓部に対する発光素子の位置を決めることが好ましい。
【００１６】
これによれば、第１の方向に加えて第２の方向においても、発光素子と窓部との位置合わせを容易にし、位置合わせの精度を向上させることができる。したがって、第１の方向および第２の方向において、位置ずれに起因する光の減少が抑えられ、窓部から出射される光をさらに増加させることができる。
【図面の簡単な説明】
【００１７】
【図１】実施形態１に係るプロジェクターの外観を示す斜視図。
【図２】窓部の外観を示す拡大斜視図。
【図３】インジケーターおよび窓部などの構成を示す、ＸＺ平面における拡大断面図。
【図４】インジケーター周辺の内部構造を示す拡大斜視図。
【図５】インジケーター周辺の内部構造を示す拡大斜視図。
【図６】インジケーターおよび保持部などの分解斜視図。
【図７】カバー部内側の構成を示す拡大斜視図。
【図８】第２部材による保持部の係止状態を示す拡大断面図。
【図９】実施形態２に係る保持部の係止構造を模式的に示す分解斜視図。
【発明を実施するための形態】
【００１８】
以下、本発明の実施形態について、図面を参照して説明する。以下に説明する実施の形態は、本発明の一例を説明するものである。本発明は、以下の実施の形態に限定されるものではなく、本発明の要旨を変更しない範囲において実施される各種の変形例も、本発明に含まれる。なお、以下の各図においては、各部材を認識可能な程度の大きさにするため、各部材の尺度を実際とは異ならせしめている。
【００１９】
（実施形態１）
＜プロジェクター＞
まず、本実施形態に係るプロジェクターの構成について、図１および図２を参照して説明する。図１は、実施形態１に係るプロジェクターの外観を示す斜視図である。図２は、窓部の外観を示す拡大斜視図である。
【００２０】
本実施形態のプロジェクター１は、映像情報に応じて形成した映像光をスクリーンなどの投写面に投写する機能を有している。
【００２１】
図１に示すように、プロジェクター１は、下ケース５を有する本体９、上ケース４を含み、本体９の一部を覆うカバー部２、後述するインジケーターおよび保持部などを有している。なお、以降、説明の便宜上、プロジェクター１の投写面側を前方（＋Ｘ方向）、プロジェクター１が机上などに載置されて投写する姿勢において、プロジェクター１の上側を上方（＋Ｚ方向）、前方（＋Ｘ方向）から見たプロジェクター１の右側を右方（＋Ｙ方向）として記載する。
【００２２】
上ケース４と下ケース５とは、プロジェクター１の略直方体の外装筐体を構成する。上ケース４は、上面２ａ、前面２ｃを有し、下ケース５は、底面２ｂ、背面２ｄ、側面２ｅ，２ｆを有している。上ケース４および下ケース５は、例えば、ポリカーボネート樹脂とＡＢＳ樹脂（アクリロニトリル−ブタジエン−スチレン共重合体）とのポリマーアロイなどの合成樹脂で形成されている。
【００２３】
本体９は下ケース５の他に、図示を省略するが、制御部、電源ユニット、光学ユニット、インターフェイス部、操作パネル、冷却ユニット、後述する装置構造体などを有している。これらのうち、制御部、光学ユニット、装置構造体などは、カバー部２（上ケース４）および下ケース５で構成されるプロジェクター１の外装筐体の内部に収容されている。
【００２４】
制御部は、インターフェイス部から入力される信号や、操作パネルから入力される信号に応じて、プロジェクター１の動作を制御する。電源ユニットは、外部から供給される電力を、プロジェクター１の各部に供給する。光学ユニットは、外部から入力された映像信号（映像情報）に応じて、映像光を形成する。冷却ユニットは、光学ユニットなどを冷却する。
【００２５】
光学ユニットは、光源装置、光変調装置、投写レンズ３を含んでいる。光変調装置は、制御部の制御に基づいて、光源装置から出射された光束を映像情報に応じて変調し、映像光を形成する。光変調装置としては、透過型の液晶パネル、反射型の液晶パネル、ＤＭＤ（Digital Micromirror Device）などのマイクロミラー型の光変調装置などが挙げられる。光源装置から光変調装置を経て、投写レンズ３へ光路が形成されている。
【００２６】
投写レンズ３は、前面２ｃにおけるＹ方向およびＺ方向のほぼ中央に位置するように設置されている。投写レンズ３は、複数のレンズを有する組みレンズである。上述したように、光変調装置で形成された映像光が、投写レンズ３を介して投写対象に拡大投写される。
【００２７】
下ケース５には、吸気用開口部２１、および図示を省略するが、排気用開口部、インターフェイス部が設置されている。
【００２８】
吸気用開口部２１は側面２ｅに、排気用開口部は側面２ｆに、それぞれ設置されている。吸気用開口部２１および排気用開口部は、冷却ユニットに接続されている。吸気用開口部２１からは、本体９の光学ユニットなどを冷却するための外気が取り入れられる。排気用開口部からは、本体９の冷却に使用されて温まった空気が排出される。
【００２９】
インターフェイス部は、背面２ｄに設置されている。インターフェイス部は、外部に露出して設けられた複数の接続端子を有している。この接続端子により、インターフェイス部を介して、パーソナルコンピューターなどの外部の電子機器から、映像信号、音声信号などが本体９へ入力される。
【００３０】
上ケース４は、開口部２０と、図示を省略するが操作パネルおよび調整部を有している。開口部２０は、前面２ｃ右方側の、前面２ｃ上方から上面２ａにかけての境界に設置されている。開口部２０は、第１の方向としてのＹ方向に６個が配列されている。開口部２０には、窓部１１から窓部１６が配置される。操作パネルおよび調整部は、上面２ａに設置されている。操作パネルの操作によって、プロジェクター１の動作を選択、指示することが可能である。調整部を用いて、投写レンズ３のズーム調整、フォーカス調整などを行うことが可能である。
【００３１】
図２に示すように、開口部２０には、複数の窓部１１，１２，１３，１４，１５，１６（以降、「窓部１１〜１６」ということもある。）が配置されている。窓部１１〜１６は、Ｙ方向に沿い、右方に向かってこの順序で配列されている。窓部１１〜１６は、後述するインジケーターの発光素子から出射された光を透過する。
【００３２】
窓部１１〜１６は、それぞれＹ方向における長さが、第２の方向としてのＸ方向の長さよりも短い。窓部１１〜１６のＹ方向のそれぞれの長さ、および窓部１１〜１６が隣り合うＹ方向の間隔は、特に限定されないが、本実施形態では、それぞれ約３ｍｍ、約７．５ｍｍとしている。本実施形態では開口部２０の数を６個としていることから、＋Ｘ方向側から見ると、６個の矩形状の窓部１１〜１６が、Ｙ方向に並んでいる。本実施形態においては、外観のデザイン性を向上させるために、Ｙ方向における窓部１１〜１６の配置間隔を従来より狭くしている。
【００３３】
＜インジケーター＞
次に、本実施形態に係るインジケーターおよび窓部に関連する部材の構成について、図３を参照して説明する。図３は、インジケーターおよび窓部などの構成を示す、ＸＺ平面における拡大断面図である。
【００３４】
図３に示すように、プロジェクター１は、上述した上ケース４および窓部１１〜１６に加えて、第２部材３０、インジケーター４０、インジケーター４０を保持する保持部５０、本体９に含まれる装置構造体６０などを有している。ここで、窓部１１〜１６は略同様な構成であるため、以降は窓部１４を代表例として説明する。
【００３５】
インジケーター４０は、プロジェクター１の動作状態などの情報を示す表示装置である。インジケーター４０は、窓部１１〜１６に対応する複数の発光素子４１と、複数の発光素子４１が実装される基板４２と、を有している。
【００３６】
発光素子４１は、インジケーター４０の光源であって、基板４２に実装されると共に、窓部１４と対向して配置されている。発光素子４１は、窓部１１〜１６に対応して、６個の発光素子４１が基板４２に実装されている。発光素子４１として、ＬＥＤ（Light Emitting Diode）を用いている。
【００３７】
発光素子４１の点灯、点滅、消灯、点灯色などによって、プロジェクター１における、電源の入り切り、動作状態などの情報が表示される。このように、上述した制御部から入力された電気信号に応じて、複数の発光素子４１に対応する窓部１１〜１６の発光（表示）が切り替えられて、プロジェクター１に関する各種情報が使用者などに告知される。
【００３８】
基板４２には、窓部１４と対向する位置に発光素子４１が実装されている。すなわち、Ｙ方向に沿って配列された６個の発光素子４１のそれぞれに対応して、窓部１１〜１６が設けられている。基板４２は、発光素子４１と窓部１１〜１６とを対向して配置させるため、ＸＹ平面に対して角度を付けて保持部５０に固定されている。基板４２は、細長い略矩形であって、長辺がＹ方向に沿って設置される。基板４２には、図示しないが、配線回路が設けられると共に、発光素子４１の他に、接続端子などが設けられている。
【００３９】
基板４２は、ＦＦＣ（Flexible Flat Cable）ケーブル（図示せず）などを介して、上述した制御部と電気的に接続されている。これにより、制御部からの電気信号に応じて、発光素子４１の発光が制御される。
【００４０】
保持部５０は、装置構造体６０のレール部６１に支持されている。保持部５０の下方（−Ｚ方向）側には、２個の突出部５２が設けられている。２個の突出部５２は、互いがＸ方向に向き合うように屈曲して対を成している。
【００４１】
装置構造体６０は、本体９に含まれる構造体（フレーム）の１つである。レール部６１は、装置構造体６０から保持部５０の下方へ突出して設けられている。レール部６１のＸ方向の両端は、保持部５０の突出部５２によって両側から挟まれている。
【００４２】
窓部１４は、発光素子４１から出射された光を透過する。窓部１４は、第２部材３０によって上ケース４に固定されている。換言すれば、第２部材３０と窓部１４とは、共に上ケース４に固定されている。このとき、窓部１４は上ケース４の開口部２０と嵌合して、窓部１４が上ケース４の外面に露出する。窓部１４は、前面２ｃおよび上面２ａに沿って、屈曲した断面形状を有している。また、窓部１１〜１６は、後述する第１部材１０として、一体に形成されている。
【００４３】
第２部材３０は、開口部３１を有している。開口部３１は、発光素子４１に対応して同数が設けられている。開口部３１は、発光素子４１側と、窓部１４側とが開口した空間を形成している。該空間は、発光素子４１から窓部１４への光路となる。言い換えれば、該光路を取り囲んで開口部３１が設けられている。これにより、発光素子４１から発せられた光は、窓部１４に投写され、窓部１４を透過して外部に出射される。また、開口部３１によって、窓部１４に対応する発光素子４１から発せられた光が、隣の窓部１５や窓部１３（図示せず）へ漏洩しにくくなる。
【００４４】
以上に述べた窓部１４に関連する構成は、他の窓部１１，１２，１３，１５，１６においても同様であるため、説明を省略する。
【００４５】
＜インジケーターの支持構造＞
次に、インジケーター４０の支持構造について、図４、図５、図６を参照して説明する。図４および図５は、インジケーター周辺の内部構造を示す拡大斜視図である。図６は、インジケーターおよび保持部などの分解斜視図である。なお、図４から図６は、内部構造を説明するためにカバー部２が取り外された状態を示している。
【００４６】
図４は、インジケーター４０の周辺を斜め上方から見下ろした図である。図４に示すように、Ｙ方向に細長い略矩形の基板４２が、保持部５０に載置されて固定されている。基板４２には、発光素子４１がＹ方向に沿って配列された状態で実装されている。
【００４７】
保持部５０は、基板４２に対応して、Ｙ方向に細長い部材である。保持部５０のＹ方向の両端には、リブ５４が設けられている。１対のリブ５４のそれぞれは、ＸＺ平面に沿うように突出している。１対のリブ５４は、プロジェクター１が組み立てられる際に、第２部材３０（図３参照）と接する部位である。リブ５４と第２部材３０との関係は後述する。
【００４８】
図５は、インジケーター４０の周辺を斜め下方から見上げた図である。図５に示すように、保持部５０の下方には、装置構造体６０から＋Ｘ方向に突出してレール部６１が設けられている。レール部６１は、Ｙ方向に細長い平板状のガイドレールである。
【００４９】
保持部５０の突出部５２は、Ｙ方向に並んで２対が設けられている。２対の突出部５２は、それぞれレール部６１を挟んでいる。そのため、保持部５０は、レール部６１に載置されると共に、２対の突出部５２がレール部６１を挟むことにより、レール部６１（装置構造体６０）に支持される。そして、突出部５２とレール部６１とは固定されていない。そのため、突出部５２がレール部６１にガイドされ、保持部５０は、レール部６１に対して相対的にＹ方向へ移動が可能である。すなわち、保持部５０は、Ｙ方向に沿って移動可能な状態で装置構造体６０（本体９）に取り付けられる。これに対して、保持部５０は、Ｙ方向以外へは移動可能ではない。
【００５０】
図６は、インジケーター４０および保持部５０を、レール部６１から取り外して、分解した図である。図６に示すように、インジケーター４０は、ネジＳＣなどによって保持部５０に固定される。レール部６１は、２対の突出部５２に対応して、第１レール６１１と第２レール６１２とを含んでいる。第１レール６１１は、第２レール６１２の−Ｙ方向側に設けられている。第１レール６１１と第２レール６１２との間には、付勢部６２が設けられている。付勢部６２は、レール部６１に対する保持部５０のＹ方向への移動を、一定距離の範囲内に制限する。一定距離とは、例えば約２ｍｍである。
【００５１】
以上の構成により、カバー部２が取り付けられていない状態において、保持部５０は、本体９（装置構造体６０）に対して、Ｙ方向へ一定距離を移動可能な状態で取り付けられている。
【００５２】
＜カバー部＞
次に、カバー部２の構成について、図７を参照して説明する。図７は、カバー部内側の構成を示す拡大斜視図である。
【００５３】
図７は、上ケース４に窓部１１〜１６を含む第１部材１０および第２部材３０を取り付け、その取り付けた部位を内面側から見た状態を示している。カバー部２は、上ケース４に加え、第１部材１０および第２部材３０を有している。
【００５４】
第１部材１０（窓部１１〜１６）は一体に形成され、第２部材３０と上ケース４とによって挟持されるように配置されている。第１部材１０の形成材料としては、透光性を有していれば特に限定されないが、例えばポリカーボネートなどの合成樹脂が挙げられる。また、第１部材１０の形成材料には、炭酸カルシウムやシリコーン樹脂などの微粒子を光拡散剤として添加してもよい。
【００５５】
第２部材３０は、上述した複数の開口部３１を有している。複数の開口部３１では、複数の発光素子４１から射出された光がそれぞれ通過する。
【００５６】
また、第２部材３０は、第１の係止部３３と第２の係止部３４とを有している。第２部材３０において、Ｙ方向の一端（＋Ｙ方向側）に第１の係止部３３が、他端（−Ｙ方向側）に第２の係止部３４が設けられている。以降の説明では、第１の係止部３３と第２の係止部３４とを総称して、単に「係止部３３，３４」ともいう。
【００５７】
係止部３３，３４には、Ｙ方向の両端に対する内側に、それぞれ案内面３５，３６が設けられている。案内面３５，３６は、Ｚ方向に対して傾斜を有している。該傾斜は、係止部３３，３４の間隔が、−Ｚ方向に向かって広がるように設けられている。そのため、本体９とカバー部２とが組み立てられると、案内面３５，３６によって保持部５０の１対のリブ５４（図５参照）が係止部３３，３４の間へ案内される。これにより、係止部３３，３４と保持部５０とが、所定の位置にて嵌合する。ここで、所定の位置とは、発光素子４１（図５参照）と窓部１１〜１６との位置合わせが成される位置をいう。
【００５８】
第２部材３０の形成材料としては、遮光性を有していれば特に限定されないが、例えば、着色剤が添加されたＡＢＳ樹脂（アクリロニトリル−ブタジエン−スチレン共重合体）などの合成樹脂が挙げられる。
【００５９】
＜保持部の係止構造＞
次に、保持部５０の係止構造について、図８を参照して説明する。図８は、第２部材による保持部の係止状態を示す拡大断面図である。
【００６０】
図８は、窓部１１〜１６を含むＹＺ平面にて、プロジェクター１を切断した状態を示している。Ｙ方向において、第２部材３０両端の係止部３３，３４の間の距離と、保持部５０両端のリブ５４同士の間の距離とは、略等しい。そのため、リブ５４のＹ方向の外側の端面と、係止部３３，３４のＹ方向の内側とが当接して、保持部５０が第２部材３０に係止される。すなわち、第１の係止部３３は、保持部５０の＋Ｙ方向への移動を規制し、第２の係止部３４は、保持部５０の−Ｙ方向への移動を規制する。これにより、係止部３３，３４によって、Ｙ方向における、窓部１１〜１６に対する複数の発光素子４１の位置が決められる。
【００６１】
保持部５０は、本体９（図示せず）にカバー部２を組み付ける前には、Ｙ方向へ一定距離を移動可能に設置されている。そして、本体９にカバー部２を組み付けると、保持部５０のＹ方向の位置決めが成される。
【００６２】
以上に述べたように、上記実施形態に係るプロジェクター１によれば、以下の効果を得ることができる。
【００６３】
インジケーター４０の複数の発光素子４１と、カバー部２の複数の窓部１１〜１６との位置合わせを容易にすることができる。また、複数の発光素子４１が配列されたＹ方向において、複数の発光素子４１と、窓部１１〜１６との位置合わせの精度を向上させることができる。
【００６４】
詳しくは、発光素子４１は基板４２を介して保持部５０に保持され、保持部５０は装置構造体６０を介して本体９に、Ｙ方向へ移動可能に取り付けられる。そのため、本体９とカバー部２とを組み立てる前の段階では、発光素子４１は、本体９に対して相対的にＹ方向へ移動が可能である。すなわち、この段階では、本体９に対する発光素子４１の位置合わせを、従来ほど厳密に行わなくてもよい。そして、本体９とカバー部２とを組み立てると、係止部３３，３４と保持部５０とが当接して、従来よりも容易に、発光素子４１のＹ方向における位置決めが精度よく行われる。Ｙ方向は、発光素子４１と窓部１１〜１６とが配列された方向であるため、位置ずれに起因する、窓部１１〜１６から出射される光の減少を抑えることができる。以上により、従来と比べて、発光素子４１と窓部１１〜１６とのＹ方向における位置合わせが容易で、位置合わせの精度が向上したプロジェクター１を提供することができる。
【００６５】
従来よりも窓部１１〜１６の配列の間隔を狭く設定しても、それらが配列されるＹ方向において位置合わせの精度が向上するため、位置ずれに起因する、窓部１１〜１６から出射される光の減少を抑えることができる。
【００６６】
発光素子４１と窓部１１〜１６との位置合わせの精度が、窓部１１〜１６の長さが短いＹ方向において向上する。すなわち、他の方向より位置合わせの精度が要求されるＹ方向において、位置合わせの精度を向上させることができる。また、窓部１１〜１６の隣り合う間隔を狭く設定することが可能となり、窓部１１〜１６の外観デザイン性を向上させることができる。
【００６７】
保持部５０は、第１の係止部３３によって＋Ｙ方向への移動が規制され、第２の係止部３４によって−Ｙ方向への移動が規制される。そのため、Ｙ方向における発光素子４１と窓部１１〜１６との位置合わせの精度を、さらに向上させることができる。また、本体９とカバー部２とを組み立てると、保持部５０が案内面３５，３６にガイドされるため、さらに容易に発光素子４１と窓部１１〜１６との位置合わせを行うことができる。
【００６８】
複数の発光素子４１および窓部１１〜１６を有することから、それらが１個である場合と比べて、表示する情報の数を増やすことができる。
【００６９】
（実施形態２）
＜保持部の係止構造＞
本実施形態に係る保持部の係止構造について、図９を参照して説明する。図９は実施形態２に係る保持部の係止構造を模式的に示す分解斜視図である。なお、実施形態２におけるプロジェクターは、上記実施形態のプロジェクター１に対して、保持部の係止構造を異ならせたものである。したがって、実施形態１と同一の構成部材については、同一の符号を使用し、重複する説明は省略する。
【００７０】
図９に示すように、本実施形態のプロジェクターは、第２部材１３０を含むカバー部（図示せず）、インジケーター４０が固定された保持部１５０、トレー部１６１を介して保持部１５０を支持する装置構造体（図示せず）を有している。
【００７１】
インジケーター４０は、上記実施形態と同様に、６個の発光素子４１と、それらが実装された基板４２を有している。
【００７２】
トレー部１６１は、詳細な図示を省略するが、Ｙ方向に長く、ＸＹ方向に平坦な略矩形の平板である。また、トレー部１６１は、平板の４辺を＋Ｚ方向に立ち上げた縁１６２を有している。４辺の縁１６２の内側に、保持部１５０が載置される。
【００７３】
保持部１５０は、Ｙ方向に長い略矩形の平板である。保持部１５０の平板について、長辺および短辺の長さは、トレー部１６１のそれぞれ長辺および短辺の長さよりも短い。そのため、保持部１５０は、縁１６２に囲まれた内側に載置されると、トレー部１６１に対して、脱落することなくＸＹ方向に移動することが可能である。言い換えれば、保持部１５０は、Ｙ方向、およびＹ方向と交差するＸ方向に沿って、移動可能な状態で本体９（図示せず）に取り付けられる。
【００７４】
保持部１５０のＹ方向の中程には、基板４２が固定されている。基板４２には、発光素子４１がＹ方向に並んで実装されている。なお、基板４２と制御部（図示せず）とを電気的に接続する配線は、図示を省略している。
【００７５】
保持部１５０のＹ方向の両端には、凹部１５２が１個ずつ設けられている。凹部１５２は、保持部１５０の上記平板から上方（＋Ｚ方向）に突出している。凹部１５２は、ファンネル（漏斗）状であって、＋Ｚ方向側が広く開口しているのに対して、平板側の基部に向かって狭窄している。これにより、ファンネル状の凹部１５２の内面は案内面となる。
【００７６】
第２部材１３０は、発光素子４１の発する光の光路を囲む開口部１３１を有している。第２部材１３０は、６個の開口部１３１がＹ方向に配列され、Ｙ方向に細長い形状を有している。第２部材１３０は、上記実施形態と同様に、窓部１１〜１６（図示せず）と共に上ケース４（図示せず）に固定される。さらに第２部材１３０は、保持部１５０を位置決めするための、係止部としての凸部１３９を有している。
【００７７】
凸部１３９は、第２部材１３０のＹ方向の両端に、下方（負のＺ方向）を向いて１個ずつ設けられている。２個の凸部１３９は、カバー部２に取り付けられると窓部１１から１６を挟む位置に設けられている。２個の凸部１３９は、＋Ｙ方向側が第１の係止部、−Ｙ方向側が第２の係止部となる。
【００７８】
凸部１３９は略円錐状であって、凹部１５２に没入することにより、凹部１５２と当接して嵌合するように形成されている。Ｙ方向において、２個の凸部１３９の中心軸間の距離は、２個の凹部１５２の中心軸間の距離に等しい。
【００７９】
本実施形態のプロジェクターが組み立てられる際に、カバー部が本体９に取り付けられると、保持部１５０は、凹部１５２の内面（案内面）が凸部１３９にガイドされ、２個の凸部１３９と２個の凹部１５２とが嵌合する。これにより、保持部１５０は、第２部材１３０に対して、Ｘ方向およびＹ方向において所定の位置に配置される。その結果、複数の発光素子４１は、窓部１１〜１６それぞれに対して、Ｘ方向およびＹ方向において精度よく配置される。
【００８０】
以上に述べたように、本実施形態のプロジェクターによれば、実施形態１における効果に加えて以下の効果を得ることができる。
【００８１】
Ｙ方向に加えてＸ方向においても、発光素子４１と窓部１１〜１６との位置合わせを容易にし、位置合わせの精度を向上させることができる。したがって、Ｙ方向およびＸ方向において、位置ずれに起因する光の減少が抑えられ、窓部１１〜１６から出射される光をさらに増加させることができる。
【００８２】
凹部１５２が上方に開いたファンネル状であるため、プロジェクターを組み立てる際に、凸部１３９を嵌合させるガイドとして機能する。すなわち、凹部１５２によって、第２部材１３０と保持部１５０との、ＸＹ方向の位置合わせを容易にすることができる。
【符号の説明】
【００８３】
１…プロジェクター、２…カバー部、９…本体、１１，１２，１３，１４，１５，１６…窓部、３３…第１の係止部、３４…第２の係止部、３５，３６…案内面、４０…インジケーター、４１…発光素子、４２…基板、５０，１５０…保持部、１３９…係止部としての凸部。
【図１】
2019128522.tif 000003
【図２】
2019128522.tif 000004
【図３】
2019128522.tif 000005
【図４】
2019128522.tif 000006
【図５】
2019128522.tif 000007
【図６】
2019128522.tif 000008
【図７】
2019128522.tif 000009
【図８】
2019128522.tif 000010
【図９】
2019128522.tif 000011